(57)【要約】【課題】  ディザパターンに起因する文字や図形の輪郭の凹凸の除去及び機械的な版のずれによる隙間の発生を抑えると同時に、補間処理による濃度や色の変化を最小限に抑える。【解決手段】  レンダリング後の画像の補間処理の際に淡色インクを用いる。【選択図】  図１
2006205507.tif 000002
【特許請求の範囲】
【請求項１】
ホストコンピュータから印刷データを受信する印刷データ受信手段と、前記印刷データ受信手段により受信される印刷データを解析する印刷データ解析手段と、前記印刷データ解析手段による印刷データの解析に基づき中間データを生成する中間データ生成手段と、前記中間データをレンダリングしてＲＧＢ画像を生成するレンダリング手段と、前記ＲＧＢ画像から印刷用のプレーン画像を生成するプレーン画像生成手段とを有する印刷制御装置であって、前記印刷装置はマゼンタ、シアン、イエロー、ブラックのインクに加え、更にそれらより淡い濃度のインクに対応するプレーンを１つ以上有し、前記プレーン画像生成手段は色の境界を判定して画像の補間を行なう画像補間手段と、前記画像補間には前記淡い濃度のトナーを優先的に用いることを特徴とする印刷装置。
【請求項２】
前記の画像補間とは同一色で構成される領域の輪郭を縁取る縁取り処理であることを特徴とする請求項１に記載の印刷装置。
【請求項３】
前記の画像補間とは同一色で構成される領域を広げるトラッピング処理であることを特徴とする請求項１に記載の印刷装置。
【発明の詳細な説明】
【技術分野】
【０００１】
本発明はレンダリング後の画像に対して色の境界を判定し、色の境界に対して補間を行なう印刷装置に関する。
【背景技術】
【０００２】
この種の印刷装置においてはＲＧＢ画像をＭＣＹＫのプレーン画像に変換する際に色の境界を判定し、色の境界に対して高画質化のための補間処理を行なうのが一般的になりつつある。
【０００３】
例えば、ある色で構成される領域がＭＣＹＫのプレーン画像に変換されるとディザのパターンによっては領域の輪郭に細かな凹凸ができてしまう。この凹凸を無くすために、その色に対して使用されるＭＣＹＫのプレーン画像の対応領域の輪郭を塗るという処理が知られている。これを縁取り処理と呼ぶ。
【０００４】
また、生成されたＭＣＹＫ画像は各プレーン毎に用紙に転写されるが、その際の機械的な版ずれによって色の境界に白の隙間が発生することがある。この隙間を無くすために、ある色で構成される領域をＭＣＹＫのプレーン画像に変換する際にその領域を１画素程度広げるという処理が知られている。これをトラッピング処理と呼ぶ。
【０００５】
又、別の従来例としては、特許文献１をあげることが出来る。
【特許文献１】特開2004-122383号公報
【発明の開示】
【発明が解決しようとする課題】
【０００６】
先に述べたように従来の印刷装置においてはＲＧＢ画像からＭＣＹＫ画像を生成する際に色の境界を判定し、色の境界に対して縁取り処理やトラッピング処理を施すことで色の境界の凹凸や隙間を補間していた。
【０００７】
しかしながら、縁取り処理を行なうと領域の輪郭の凹凸は無くなるが、領域の内部と輪郭部とに濃度差が発生するという問題点があった。また、トラッピング処理を行なうと色の境界部の隙間は消えるが、機械的な版ずれの方向によっては版の重なりが発生して合成色が現れてしまうという問題点があった。
【０００８】
本発明はこのような問題点を解決することを目的としている。
【課題を解決するための手段】
【０００９】
一般的にこの種の印刷装置ではマゼンタ、シアン、イエロー、ブラックの４色のインクで印刷するのが一般的であるが、近年はこれにライトマゼンタ、ライトシアンを加えた６色のインクで印刷する印刷装置も考案されており、インクジェット方式のプリンタでは既に実用化されている。ライトマゼンタ、ライトシアンとはそれぞれマゼンタ、シアンを淡くしたインクであり、淡い色を表現するのに適している。尚、イエローに関してはそれ自体が淡いため、一般的にライトイエローが用意されることは無い。また、ブラックはマゼンタ、シアン、イエローで合成可能であるため、一般的にライトブラックが用意されることも無い。
【００１０】
本発明はこの６色インク方式の印刷装置において前述の問題点を低減するための手段を提供する。
【００１１】
次に、縁取り処理における領域の内部と輪郭部との濃度差の問題を低減するための手段について説明する。一般に６色インク方式の印刷装置においてＲＧＢ画像はＭ,Ｃ,Ｙ,Ｋ,Ｌｍ,Ｌｃの６プレーンに展開される。（Ｍはマゼンタ、Ｃはシアン、Ｙはイエロー、Ｂはブラック、Ｌｍはライトマゼンタ、Ｌｃはライトシアンである。）本発明では縁取り処理の弊害である領域の内部と輪郭部との濃度差を抑えるために、縁取り処理の際に用いるＭ成分はＬｍ成分に、Ｃ成分はＬｃ成分に置き換える。更にＫ成分はＬｍ,Ｌｃ,Ｙに置き換える。この色成分の置き換えにより縁取り処理の本来の目的である輪郭部の凹凸は無くしながらも、輪郭部の濃度上昇は抑えられ、領域内部に近い濃度となる。
【００１２】
次に、トラッピング処理における版の重なりによる合成色の出現を低減するための手段について説明する。本発明ではトラッピング処理弊害である版の重なりのために出現する合成色の濃度を抑えるために、トラッピング処理の際に用いるＭ成分はＬｍ成分に、Ｃ成分はＬｃ成分に置き換える。更にＫ成分はＬｍ,Ｌｃ,Ｙに置き換える。この色成分の置き換えによりトラッピング処理の本来の目的である白の隙間は無くしながらも、その代わりに発生する合成色の濃度を低く抑えることができる。
【発明の効果】
【００１３】
以上説明したように本発明によれば、レンダリング後の画像の補間処理の際に淡色インクを用いることで、ディザパターンに起因する文字や図形の輪郭の凹凸の除去及び機械的な版のずれによる隙間の発生を抑えると同時に、補間処理による濃度や色の変化を最小限に抑えることができる。
【発明を実施するための最良の形態】
【００１４】
以下、本発明をＬＢＰに適用し、図面を用いて更に詳細に説明する。
【００１５】
本実施例の構成を説明する前に、本実施例を適用するＬＢＰの構成を図１を参照して説明する。
【００１６】
図１は実施例のＬＢＰの内部構造を示す断面図である。
【００１７】
図において１００はＬＢＰ本体であり、このＬＢＰはＬＡＮ接続されているコンピュータ（図２の２０１）から供給される用紙サイズ指定命令、文字印字命令、各種図形描画命令、イメージ描画命令及び色指定命令等に従って対応する文字パターンや図形、イメージ等を作成し、記録媒体である記録用紙上に像を形成する。１７１は操作のためのスイッチ及びプリンタの状態を表示するＬＥＤ表示器やＬＣＤ表示器等が配されている操作パネル、１０１はＬＢＰ１００全体の制御及びコンピュータから供給される文字印字命令等を解析するプリンタ制御ユニットである。
【００１８】
尚、本実施例におけるＬＢＰはＲＧＢの色情報をＭ（マゼンタ）Ｃ（シアン）Ｙ（イエロー）Ｋ（ブラック）Ｌｍ（ライトマゼンタ）Ｌｃ（ライトシアン）に変換し、それらを並列で像形成・現像するため、ＭＣＹＫＬｍＬｃそれぞれが像形成・現像機構を持つ。プリンタ制御ユニット１０１はＭＣＹＫＬｍＬｃそれぞれの印字イメージを生成し、ビデオ信号に変換してＭＣＹＫＬｍＬｃそれぞれのレーザ・ドライバに出力する。
【００１９】
Ｍ（マゼンタ）のレーザ・ドライバ１１０は半導体レーザ１１１を駆動するための回路であり、入力されたビデオ信号に応じて半導体レーザ１１１から発射されるレーザ光１１２をオン・オフ切替する。レーザ光１１２は回転多面鏡１１３で左右方向に振られて静電ドラム１１４上を走査する。これにより、静電ドラム１１４上には文字や図形のパターンの静電潜像が形成される。この潜像は静電ドラム１１４周囲の現像ユニット（トナーカートリッジ）１１５によって現像された後、記録用紙に転写される。
【００２０】
Ｃ（シアン）、Ｙ（イエロー）、Ｋ（ブラック）、Ｌｍ（ライトマゼンタ）、Ｌｃ（ライトシアン）に関してもＭ（マゼンタ）と同様の像形成・現像機構を持ち、１２０、１２１、１２２、１２３、１２４、１２５はＣ（シアン）用の像形成・現像機構、１３０、１３１、１３２、１３３、１３４、１３５はＹ（イエロー）用の像形成・現像機構、１４０、１４１、１４２、１４３、１４４、１４５はＫ（ブラック）用の像形成・現像機構、１５０、１５１、１５２、１５３、１５４、１５５はＬｍ（ライトマゼンタ）用の像形成・現像機構、１６０、１６１、１６２、１６３、１６４、１６５はＬｃ（ライトシアン）用の像形成・現像機構である。個々の機能はＭ（マゼンタ）の像形成・現像機構と同じであるので説明は省略する。
【００２１】
記録用紙にはカット・シートを用い、カット・シート記録紙はＬＢＰに装着した給紙トレイ１０２に収納されバネ１０３で一定の高さに保たれており、給紙ローラ１０４及び搬送ローラ１０５と１０６とにより装置内に取り込まれ、用紙搬送ベルト１０７に乗せられてＭＣＹＫＬｍＬｃの各像形成・現像機構を通過する。
【００２２】
記録用紙に転写されたＭＣＹＫＬｍＬｃの各トナー（粉末インク）は定着器１０８で熱と圧力により記録用紙に固定され、記録用紙は搬送ローラ１０９と１７０によってＬＢＰ本体上部に出力される。
【００２３】
図２は図１に示したＬＢＰの制御ユニット１０１の概略構成を示すブロック図である。
【００２４】
このＬＢＰの制御ユニットは、ＬＡＮ２１６で接続されているコンピュータ２０１より送られてきた文字、図形、イメージの各描画命令及び色情報等からなるデータを入力し、ページ単位で文書情報等を印刷するようにしている。２０２はコンピュータ２０１と各種情報をやりとりする入出力インタフェース部、２０３は入出力インタフェース部２０２を介して入力された各種情報を一時記憶する入力バッファである。２０４は文字パターン発生器で、文字の幅や高さ等の属性や実際の文字パターンのアドレスが格納されているフォント情報部２１９、文字パターン自身が格納されている文字パターン部２２０、及びその読みだし制御プログラムから成る。読みだし制御プログラムはＲＯＭ２１７に含まれ、文字コードを入力するとそのコードに対応する文字パターンのアドレスを算出するコード・コンバート機能をも有している。
【００２５】
２０５はＲＡＭで、文字パターン発生器２０４より出力された文字パターンを記憶するフォント・キャッシュ領域２０７、コンピュータ２０１より送られてきた外字フォント及び現在の印字環境等を記憶する記憶領域２０６を含んでいる。このように、一旦文字パターンに展開したパターン情報をフォント・キャッシュとしてフォント・キャッシュ領域２０７に記憶しておくことにより、同じ文字を印刷する時に再度同じ文字を復号してパターン展開する必要がなくなるため、文字パターンへの展開が速くなる。
【００２６】
２０８はプリンタの制御ユニット全体を制御するためのＣＰＵで、ＲＯＭ２１７に記憶されたＣＰＵ２０８の制御プログラムにより装置全体の制御を行なっている。２０９は入力データを元に生成される内部的なデータ群である中間バッファである。１ページ分のデータの受信が完了し、それらがよりシンプルな中間データに変換されて中間バッファに蓄えられた後、レンダラ２１０によりバンド単位でレンダリングされ、各色８ビットのＲＧＢ画像としてバンドバッファ２１１に出力される。
【００２７】
バンドバッファに出力されたＲＧＢ画像はハーフトーニングプロセッサ２１２により各色１ビットのＭＣＹＫＬｍＬｃ画像に変換され、ＭＣＹＫＬｍＬｃの各プレーンに分離されてスプールメモリ２１３に格納される。スプールメモリ２１３に格納されたＭＣＹＫＬｍＬｃ画像はプレーン毎に圧縮されて保持される。１ページ分の全バンドのデータが格納されると、ページ・プリンタの印刷機構部分２１５が起動される。そしてＭＣＹＫＬｍＬｃ画像がプレーン毎に伸長されて出力インタフェース部２１４でビデオ信号に変換され、プリンタ印字部２１５に出力される。
【００２８】
先に図１を用いて説明したように本実施例におけるＬＢＰではＭＣＹＫＬｍＬｃの像形成・現像を並列で行うため、出力インタフェース部２１４はＭ出力インタフェース部、Ｃ出力インタフェース部、Ｙ出力インタフェース部、Ｋ出力インタフェース部、Ｌｍ出力インタフェース部、Ｌｃ出力インタフェース部の６個のインタフェース部で構成され、それぞれが独立にスプールメモリ２１３からプレーン画像を読み出し、ビデオ信号に変換して各プレーンのレーザ・ドライバ１１０、１２０、１３０、１４０、１５０、１６０へ出力する。
【００２９】
２１８は一般のＥＥＰＲＯＭ等で構成する不揮発性メモリであり、以後ＮＶＲＡＭ(Non Volatile RAM)と称す。ＮＶＲＡＭ２１８には操作パネルブラックで指定されるパネル設定値などが記憶される。
【００３０】
尚、ＲＯＭ２１７にはコンピュータ２０１から入力されるデータの解析、中間データの生成、印刷機構本体部２１５の制御プログラム、及びＲＧＢ色空間からＭＣＹＫＬｍＬｃ色空間への色変換テーブル等も含まれる。
【００３１】
２２１はハードディスクで任意の情報を記録することができ、電源が切断されても情報が失われることはない。
【００３２】
本実施例ではＲＧＢ色空間でバンド単位でレンダリングし、その後のハーフトーニング処理（ＭＣＹＫＬｍＬｃ画像の生成）は専用ハードウェアがバンド単位で行なう。ハーフトーニング処理は一般的なＲＧＢ→ＭＣＹＫＬｍＬｃ変換だけでなく、高画質化のための縁取り処理も行なう。
【００３３】
次に、縁取り処理の目的と効果について説明する。一般にハーフトーンがかかったＭＣＹＫＬｍＬｃ画像はディザパターンの影響で描画オブジェクトの輪郭に凹凸が現れる。縁取り処理はこの凹凸を無くし、シャープな画像を生成する。
【００３４】
縁取り処理は描画オブジェクトの輪郭に対して、ＭＣＹＫＬｍＬｃの各プレーン毎に施される。図３はあるプレーンに描画された矩形に対する縁取り処理の例を示す図である。図において３０１は縁取り処置を行なわない、即ちＲＧＢ→ＭＣＹＫＬｍＬｃ変換のみを行なった場合のあるプレーン（例えばＭプレーン）の出力結果の例である。これに対して３０２は縁取り処理を行なった場合の出力結果の例である。縁取り処理はレンダリング後のＲＧＢ画像の各画素に対してその周囲画素を参照し、注目画素が描画オブジェクトの輪郭であるか否かを判定することで実現する。
【００３５】
縁取り処理はハーフトーニングプロセッサ２１２がバンド上の各画素に対してＲＧＢ→ＭＣＹＫＬｍＬｃ変換してスプールメモリ２１３に出力する際に同時に行なわれる。次にハーフトーニングプロセッサ２１２によるＲＧＢ→ＭＣＹＫＬｍＬｃ変換と縁取り処理の処理手順についてフローチャート図４を用いて説明する。
【００３６】
まずステップＳ４０１で先頭画素のＲＧＢ値を読み出し、ステップＳ４０２でそのＲＧＢ値をＭＣＹＫＬｍＬｃで表現する場合の色成分を抽出する。次にステップＳ４０３において周辺画素のＲＧＢ値を読み出し、ステップＳ４０４において注目画素の周辺画素のＲＧＢ値を比較することで注目画素が描画オブジェクトの境界画素であるか否かを判定する。境界画素であると判定された場合にはステップＳ４０４に進み、ステップＳ４０２で抽出されたＭＣＹＫＬｍＬｃ色成分をＹＬｍＬｃで置き換える。変換方法は以下のとおりである。
【００３７】
Ｍ→Ｌｍ
Ｃ→Ｌｃ
Ｋ→Ｌｍ,Ｌｃ,Ｙ
尚、Ｌｍ,Ｌｃ,Ｙ成分はそのままである。
【００３８】
次にステップＳ４０６に進んで、ステップＳ４０５で得られたＬｍＬｃＹ成分をスプールメモリ２１３の対応するプレーンの注目画素に出力する。この時、ＭＣＫプレーンの注目画素には０が出力される。注目画素が描画オブジェクトの境界画素ではないと判定された場合にはステップＳ４０８に進み、ステップＳ４０２で抽出されたＭＣＹＫＬｍＬｃ色成分に対してディザパターンを適用し、更にステップＳ４０９に進んで各成分をスプールメモリ２１３の対応するプレーンの注目画素に出力する。注目画素に対する処理が終わるとステップＳ４０７に進んでバンド内の全ての画素について処理を完了したか否かを判断し、まだ完了していない場合にはステップＳ４０１に戻って次の画素に対して同様の処理を行なう。バンド内の全ての画素について処理を完了したら、そのバンドに対するハーフトーニングプロセッサ２１２の処理は終了する。
【００３９】
最後に本実施例における縁取り処理の結果の一例を図５を参照して説明する。
【００４０】
本実施例では一般にＭ（マゼンタ）とＣ（シアン）の混色で表現される青色の矩形を描画する場合を例に説明する。図において５０１はＭプレーンの出力画像を現したものである。縁取り処理によって図形の輪郭部のＭ成分は除去され、内部のみにＭ成分が残る。これに対して５０２にＬｍプレーンの出力画像を現したものである。縁取り処理によって図形の輪郭部のＭ成分がＬｍ成分として出力される。これと同様の画像がＣプレーンとＬｃプレーンに出力される（不図示）。そしてＭプレーンの画像とＬｍプレーンの画像は記録用紙に転写される。５０３は記録用紙に転写されたＭプレーンとＬｍプレーンの画像を表している。最終的にはＣプレーンとＬｃプレーンも転写され、記録用紙に青色の矩形が転写される。転写された矩形の輪郭は凹凸のないシャープな画像となり、且つ輪郭部は淡いトナーで描画されているため図形内部との濃度差は小さい。
【００４１】
（実施例２）
本実施例においてもＬＢＰに対して本発明を適用する。
【００４２】
尚、本実施例におけるＬＢＰの内部構造、及びその制御ユニットの構成は実施例１において図１及び図２を参照して説明したものと同じであるので説明は省略する。
【００４３】
本実施例ではＲＧＢ色空間でバンド単位でレンダリングし、その後のハーフトーニング処理（ＭＣＹＫＬｍＬｃ画像の生成）は専用ハードウェアがバンド単位で行なう。ハーフトーニング処理は一般的なＲＧＢ→ＭＣＹＫＬｍＬｃ変換だけでなく、高画質化のためのトラッピング処理も行なう。
【００４４】
次に、トラッピング処理の目的と効果について説明する。一般に、ＭＣＹＫ又はＭＣＹＫＬｍＬｃの各プレーン毎に記録用紙に印刷する印刷機構においては分版された画像は現像ユニット（トナーカートリッジ）１１５、１２５、１３５、１４５、１５５、１６５によって現像され、記録用紙に転写されるが、その際に発生する版ずれを完全に無くすことは事実上不可能である。この版ずれによって描画オブジェクトの輪郭にトナーの載らない空白が現れる。この空白を埋めるには、ＲＧＢ→ＭＣＹＫＬｍＬｃ変換時に描画オブジェクトの輪郭を１画素程度太らせるという手法が一般的である。これをトラッピング処理と呼び、版ずれによって空白部が現れるのを防ぐ効果がある。しかしながら、輪郭を太らせるため本来は隣接すべき領域が重なってしまい、複数のトナーの合成色が現れてしまう場合がある。
【００４５】
図６はトラッピングの例を示すための図であり、用紙に転写された２つのプレーン（例えばＭプレーンとＣプレーン）の像の拡大図である。図において６０１は版ずれが全くない理想的な像であり、６０２は版ずれにより空白ができている像である。トラッピング処理を行なわないと６０２のようになるのが一般的である。これに対して６０３はＲＧＢ→ＭＣＹＫＬｍＬｃ変換する際にトラッピング処理を施した像であり、版ずれによって発生する空白が補間されているが、重なっているトナーの色とその量によってはその部分が濃く見えてしまう場合がある。
【００４６】
次に、本実施例におけるトラッピング処理の処理手順についてフローチャート図７を用いて説明する。
【００４７】
まずステップＳ７０１で先頭画素のＲＧＢ値を読み出し、ステップＳ７０２でそのＲＧＢ値をＭＣＹＫＬｍＬｃに変換する。この時点でハーフトーンを表現するためのディザパターンが適用され、ステップＳ７０３においてＭＣＹＫＬｍＬｃの値をスプールメモリ２１３の対応するプレーンの注目画素に出力する。次にステップＳ７０４において周辺画素のＲＧＢ値を読み出し、ステップＳ７０５において注目画素の周辺画素のＲＧＢ値を比較することで注目画素が描画オブジェクトの境界画素であるか否かを判定する。境界画素であると判定された場合にはトラッピング処理を行なう。その場合にはステップＳ７０６に進み、注目画素とは境界の反対側の色のＲＧＢ値をＣＹＫＬｍＬｃに変換する。そしてステップＳ７０７においてＭＣＫ色成分をＹＬｍＬｃで置き換える。変換方法は以下のとおりである。
【００４８】
Ｍ→Ｌｍ
Ｃ→Ｌｃ
Ｋ→Ｌｍ,Ｌｃ,Ｙ
そしてステップＳ７０８においてステップＳ７０７及びＳ７０７で生成されたＬｍＬｃＹ成分をスプールメモリ２１３の対応するプレーンの注目画素に出力する。尚、ステップＳ７０５において注目画素が描画オブジェクトの境界画素ではないと判定された場合にはトラッピング処理は行なわない。注目画素に対する処理が終わるとステップＳ７０９に進んでバンド内の全ての画素について処理を完了したか否かを判断し、まだ完了していない場合にはステップＳ７０１に戻って次の画素に対して同様の処理を行なう。バンド内の全ての画素について処理を完了したら、そのバンドに対するハーフトーニングプロセッサ２１２の処理は終了する。
【００４９】
最後に本実施例におけるトラッピング処理の結果の一例を図８を参照して説明する。
【００５０】
図において８０１はＭ（マゼンタ）とＣ（シアン）が隣接する場合の例である。一般にマゼンタとＣシアンの境界部にトラッピングによるプレーンの重なりが発生するとその合成色である青の領域が出現するが、本実施例においてはシアンの代わりにライトシアンによって補間されるため青ではなくマゼンタに近い色となり、違和感の少ない印刷結果となる。
【００５１】
また、本発明は、複数の機器から構成されるシステムに適用しても、１つの機器からなる装置に適用しても良い。また、本発明はシステム或は装置にプログラムを供給することによって実施される場合にも適用できることは言うまでもない。この場合、本発明に係るプログラムを格納した記憶媒体が、本発明を構成することになる。そして、該記憶媒体からそのプログラムをシステム或は装置に読み出すことによって、そのシステム或は装置が、予め定められたし方で動作する。
【図面の簡単な説明】
【００５２】
【図１】本実施例を適用する印刷装置の構成を説明する断面図である。
【図２】図１に示した本体の制御構成を説明するブロック図である。
【図３】実施例１において従来の縁取り処理の例を説明するための説明図である。
【図４】実施例１において淡色トナーによる縁取り処理を行なう場合の処理手順を説明するためのフローチャートである。
【図５】実施例１において淡色トナーによる縁取りの一例を説明するための説明図である。
【図６】実施例２において従来のトラッピング処理の例を説明するための説明図である。
【図７】実施例２において淡色トナーによるトラッピング処理を行なう場合の処理手順を説明するためのフローチャートである。
【図８】実施例２において淡色トナーによるトラッピングの一例を説明するための説明図である。
【符号の説明】
【００５３】
１００  プリンタ本体
１０１  プリンタ制御ユニット
１０２  給紙カセット
１０３  用紙を持ち上げるためのバネ
１０４  給紙ローラ
１０５  用紙搬送ローラ
１０６  用紙搬送ローラ
１０７  用紙搬送ベルト
１０８  定着器
１０９  用紙搬送ローラ
１１０  レーザ・ドライバ（マゼンタ用）
１１１  半導体レーザ発射装置（マゼンタ用）
１１２  レーザ・ビーム（マゼンタ用）
１１３  回転多面鏡（マゼンタ用）
１１４  静電ドラム（マゼンタ用）
１１５  トナーカートリッジ（マゼンタ用）
１２０  レーザ・ドライバ（シアン用）
１２１  半導体レーザ発射装置（シアン用）
１２２  レーザ・ビーム（シアン用）
１２３  回転多面鏡（シアン用）
１２４  静電ドラム（シアン用）
１２５  トナーカートリッジ（シアン用）
１３０  レーザ・ドライバ（イエロー用）
１３１  半導体レーザ発射装置（イエロー用）
１３２  レーザ・ビーム（イエロー用）
１３３  回転多面鏡（イエロー用）
１３４  静電ドラム（イエロー用）
１３５  トナーカートリッジ（イエロー用）
１４０  レーザ・ドライバ（ブラック用）
１４１  半導体レーザ発射装置（ブラック用）
１４２  レーザ・ビーム（ブラック用）
１４３  回転多面鏡（ブラック用）
１４４  静電ドラム（ブラック用）
１４５  トナーカートリッジ（ブラック用）
１５０  レーザ・ドライバ（ライトマゼンタ用）
１５１  半導体レーザ発射装置（ライトマゼンタ用）
１５２  レーザ・ビーム（ライトマゼンタ用）
１５３  回転多面鏡（ライトマゼンタ用）
１５４  静電ドラム（ライトマゼンタ用）
１５５  トナーカートリッジ（ライトマゼンタ用）
１６０  レーザ・ドライバ（ライトシアン用）
１６１  半導体レーザ発射装置（ライトシアン用）
１６２  レーザ・ビーム（ライトシアン用）
１６３  回転多面鏡（ライトシアン用）
１６４  静電ドラム（ライトシアン用）
１６５  トナーカートリッジ（ライトシアン用）
１７０  用紙搬送ローラ
１７１  操作パネル
２０１  コンピュータ
２０２  入力インタフェース部
２０３  入力バッファ
２０４  文字パターン発生器
２０５  ＲＡＭ
２０６  各種登録データ及び印刷環境等が記憶される記憶領域
２０７  フォントキャッシュ領域
２０８  ＣＰＵ
２０９  印刷データが蓄積される記憶領域
２１０  レンダラ
２１１  バンドバッファ
２１２  ハーフトーニングプロセッサ
２１３  スプールメモリ
２１４  印刷機構部への出力インターフェース部
２１５  印刷機構部
２１６  ＬＡＮ
２１７  ＲＯＭ
２１８  ＮＶＲＡＭ
２１９  フォント情報部
２２０  文字パターン部
２２１  ハードディスク
３０１  縁取り処理を行なわない場合の出力画像
３０２  同一トナーによる縁取り処理を行った場合の出力画像
５０１  縁取り処理を行った場合の出力画像（Ｍプレーン）
５０２  縁取り処理を行った場合の出力画像（Ｌｍプレーン）
５０３  縁取り処理を行った場合の出力画像（Ｍ＋Ｌｍプレーン）
６０１  版ずれのない理想的な出力画像
６０２  版ずれにより空白が現れた出力画像
６０３  版ずれによる空白を同一トナーによるトラッピングで補正した出力画像
８０１  版ずれによる空白を淡色トナーによるトラッピングで補正した出力画像
【図１】
2006205507.tif 000003
【図２】
2006205507.tif 000004
【図３】
2006205507.tif 000005
【図４】
2006205507.tif 000006
【図５】
2006205507.tif 000007
【図６】
2006205507.tif 000008
【図７】
2006205507.tif 000009
【図８】
2006205507.tif 000010